(57)【要約】  ＲＡＣＨ（Random Access Channel：ランダム・アクセス・チャネル）構成を動的に更新するための方法が開示される。無線チャネルにおいて、１つまたは複数のＲＡＣＨ構成パラメーターを含む１つまたは複数のＲＡＣＨ構成が検出され、そして適切なＲＡＣＨ構成パラメーターがＲＡＣＨ信号に基づいて使用される。
2010504031.tif 000002
【特許請求の範囲】
【請求項１】
ＲＡＣＨ（Random Access Channel）構成を動的に更新するための方法であって、
無線チャネルにおいて、少なくとも１つのＲＡＣＨ構成パラメーターを含む、少なくとも１つのＲＡＣＨ構成を検出するステップと、
使用するべき前記ＲＡＣＨ構成を選択するためにＲＡＣＨインジケータ信号を受け取るステップと、
前記ＲＡＣＨインジケータ信号に基づき選択されたＲＡＣＨ構成を使用するステップと
を含むことを特徴とする方法。
【請求項２】
前記ＲＡＣＨインジケータ信号が、決定されたＲＡＣＨ構成パラメーターの使用が開始するべき時刻を示すための有効化時刻フィールドをさらに含むことを特徴とする請求項１に記載の方法。
【請求項３】
前記ＲＡＣＨインジケータ信号が、決定されたＲＡＣＨ構成パラメーターの使用が停止するべき時刻を示すための非有効化時刻フィールドをさらに含むことを特徴とする請求項２に記載の方法。
【請求項４】
有効化時刻が、時分割多元接続スロット、１つまたは１組のサブキャリアなどの周波数分割多元接続リソース、パーシステンス係数（persistence factor）、バックオフタイマー、ＡＳＣ（Access Service Class）および他のユーザークラス差別化識別子の内の１つまたは複数を含むＲＡＣＨ構成パラメーターの内のいくつかまたはすべてに関係することを特徴とする請求項２に記載の方法。
【請求項５】
前記ＲＡＣＨインジケータ信号が、ＡＳＣ（Access Service Class）であることを特徴とする請求項１に記載の方法。
【請求項６】
前記ＲＡＣＨ構成パラメーターが、１つまたは複数のＡＳＣに関連付けられることを特徴とする請求項５に記載の方法。
【請求項７】
前記ＲＡＣＨインジケータ信号が、前記ＡＳＣが何時使用されるべきかを示すための有効化時刻をさらに含むことを特徴とする請求項６に記載の方法。
【請求項８】
前記ＲＡＣＨインジケータ信号が、使用されるべき前記ＲＡＣＨ構成パラメーターを決定するために、負荷の大きさを含む負荷インジケータをさらに含むことを特徴とする請求項１に記載の方法。
【請求項９】
前記ＲＡＣＨインジケータ信号が、
前記負荷インジケータを使用するべき時刻を示すための有効化時刻と、
前記負荷インジケータを使用することを停止するべき時刻を示すための非有効化時刻と
をさらに含むことを特徴とする請求項８に記載の方法。
【請求項１０】
前記負荷インジケータが、前記ＲＡＣＨ構成パラメーターの内の１つまたは複数に対応付けられることを特徴とする請求項８に記載の方法。
【請求項１１】
ＲＡＣＨ（Random Access Channel）構成を動的に更新するための無線送受信ユニット（ＷＴＲＵ）であって、
無線チャネルにおいて、少なくとも１つのＲＡＣＨ構成パラメーターを含む、少なくとも１つのＲＡＣＨ構成を検出するための受信機と、
ＲＡＣＨインジケータ信号に基づき使用するべき適切なＲＡＣＨ構成パラメーターを決定するための処理装置と
を備えたことを特徴とするＷＴＲＵ。
【請求項１２】
前記ＲＡＣＨインジケータ信号が、決定されたＲＡＣＨ構成パラメーターの使用が開始するべき時刻を示すための有効化時刻フィールドをさらに含むことを特徴とする請求項１１に記載のＷＴＲＵ。
【請求項１３】
前記ＲＡＣＨインジケータ信号が、決定されたＲＡＣＨ構成パラメーターの使用が停止するべき時刻を示すための非有効化時刻フィールドをさらに含むことを特徴とする請求項１２に記載のＷＴＲＵ。
【請求項１４】
有効化時刻が、時分割多元接続スロット、１つまたは１組のサブキャリアなどの周波数分割多元接続リソース、パーシステンス係数（persistence factor）、バックオフタイマー、ＡＳＣ（Access Service Class）および他のユーザークラス差別化識別子の内の１つまたは複数を含むＲＡＣＨ構成パラメーターの内のいくつかまたはすべてに関係することを特徴とする請求項１２に記載のＷＴＲＵ。
【請求項１５】
前記ＲＡＣＨインジケータ信号が、ＡＳＣ（Access Service Class）であることを特徴とする請求項１１に記載のＷＴＲＵ。
【請求項１６】
前記ＲＡＣＨ構成パラメーターが、１つまたは複数のＡＳＣに関連付けられることを特徴とする請求項１５に記載のＷＴＲＵ。
【請求項１７】
前記ＲＡＣＨインジケータ信号が、前記ＡＳＣが何時使用されるべきかを示すための有効化時刻をさらに含むことを特徴とする請求項１６に記載のＷＴＲＵ。
【請求項１８】
前記ＲＡＣＨインジケータ信号が、使用されるべき前記ＲＡＣＨ構成パラメーターを決定するために、負荷の大きさを含む負荷インジケータをさらに含むことを特徴とする請求項１１に記載のＷＴＲＵ。
【請求項１９】
前記ＲＡＣＨインジケータ信号が、
前記負荷インジケータを使用するべき時刻を示すための有効化時刻と、
前記負荷インジケータを使用することを停止するべき時刻を示すための非有効化時刻と
をさらに含むことを特徴とする請求項１６に記載のＷＴＲＵ。
【請求項２０】
前記負荷インジケータが、前記ＲＡＣＨ構成パラメーターの内の１つまたは複数に対応付けられることを特徴とする請求項１９に記載の方法。
【請求項２１】
ＲＡＣＨ（Random Access Channel）構成が動的に更新されるノードＢ（Ｎｏｄｅ−Ｂ）であって、
少なくとも１つのＲＡＣＨ構成および１つのＲＡＣＨインジケータ信号を送信するための送信機を備え、
それぞれのＲＡＣＨ構成が、少なくとも１つのＲＡＣＨ構成パラメーターを含み、
それぞれのＲＡＣＨインジケータ信号が、無線送受信ユニット（ＷＴＲＵ）によって使用されるべき適切なＲＡＣＨ構成を示す
ことを特徴とするノードＢ。
【請求項２２】
前記ＲＡＣＨインジケータ信号が、決定されたＲＡＣＨ構成パラメーターの使用が開始するべき時刻を示すための有効化時刻フィールドを含むことを特徴とする請求項２１に記載のノードＢ。
【請求項２３】
前記ＲＡＣＨインジケータ信号が、ＡＳＣ（Access Service Class）であることを特徴とする請求項２１に記載のノードＢ。
【請求項２４】
前記ＲＡＣＨインジケータ信号が、使用されるべき前記ＲＡＣＨ構成パラメーターを決定するために、負荷の大きさを含む負荷インジケータを含むことを特徴とする請求項２１に記載のノードＢ。
【発明の詳細な説明】
【技術分野】
【０００１】
本発明は無線通信システムに関する。より詳細には、３Ｇセルラー・ネットワークのＬＴＥ（Long Term Evolution）において（３ＧＰＰリリース７を凌ぐＵＭＴＳに対して）、無線通信システムが変動する負荷に対応してランダム・アクセス・パラメーターを動的に更新することを可能にする信号方式および手続き上の方法が開示される。
【背景技術】
【０００２】
現在のＷＣＤＭＡ  ＵＭＴＳシステムは、原理上、変化する条件に対してランダム・アクセス・パラメーターを適合させることを可能にする機構を包含する。しかしながら変動する負荷にランダム・アクセス・チャネルを動的に適合させる必要性は、ＣＤＭＡ準拠のシステムにおいては問題になることは少ない。
【０００３】
対照的に、Ｅ−ＵＴＲＡ（Evolved UTRA：発展型ＵＴＲＡ）とも呼ばれるＬＴＥ（Long Term Evolution）は、アップリンクにおいてＳＣ−ＦＤＭＡ（Single Carrier Frequency Division Multiple Access：シングル・キャリア周波数分割多元接続方式）を使用し、そこでは、図１に示すように、周波数領域における信号が、ＤＦＴ（Discrete Fourier Transform：離散フーリエ変換）拡散ＯＦＤＭ（Orthogonal Frequency Division Multiplexing：直交周波数分割多重）として知られている技法により生成される。この技法の顕著な態様は、リソースユニットがＯＦＤＭサブキャリアであるということであり、未使用リソースが時間−周波数スペクトル空間において「ホール（hole）」を残す。これは、物理チャネルが送信しないときにはスペクトル・チャンク（spectrum chunk）の総合的な雑音レベルが減少するＣＤＭＡとは対照的である。したがってＷＣＤＭＡに比してＬＴＥにおいては、ランダム・アクセスリソースを負荷に基づき動的にサイジング（sizing）することが、スペクトル効率およびセル・データ容量にとってより大きい利点を持つことになる。
【０００４】
現在の３ＧＰＰ  ＲＡＣＨ（Random Access Channel：ランダム・アクセス・チャネル）構成は、ＳＩＢ（System Information Block：システム情報ブロック）の一部としてブロードキャストされる。具体的には、ＷＴＲＵ（Wireless Transmit/Receive Unit）に送られるＰＲＡＣＨ（Physical RACH：物理ＲＡＣＨ）システム情報リストは、ＳＩＢタイプ５および６の一部である。ＰＲＡＣＨ  ＩＥ（Information Element：情報要素）は、利用可能署名、拡散率、およびサブチャネルをセル全体に表示することにより、ＲＡＣＨリソースの全体的制御を可能にする。ＰＲＡＣＨ区分用ＩＥは、規格において定義される一覧表における１組の連続した署名、およびアクセス・スロット・サブチャネルの部分集合をそれぞれのクラスが有するように、最大８つまでのＡＳＣ（Access Service Class：アクセス・サービス・クラス）にＲＡＣＨリソースを区分する。それぞれのＡＳＣのｐパーシステンス水準（p−persistence level）もまた、独立に設定可能である。
【０００５】
３ＧＰＰにおける現在のＲＡＣＨ構成のフレームワークに関する問題の１つは、それ自身が動的に変化するＲＡＣＨ構成には容易には適合しないということである。例えば、色々なＷＴＲＵが色々な時刻にＳＩＢを読む場合には移行期間（transition period）があるかもしれず、したがっていくつかのＷＴＲＵがまだ古い構成を使用し、そして他のものが新しい構成を使用しているため、それらの動作が矛盾する可能性があるであろう。
【０００６】
したがって、ＲＡＣＨを動的に変化させるための方法、システム、および装置に対する必要性が存在する。
【発明の概要】
【０００７】
ＲＡＣＨ（Random Access Channel）構成を動的に更新するための方法が開示される。無線チャネルにおいて、１つまたは複数のＲＡＣＨ構成パラメーターを含む１つまたは複数のＲＡＣＨ構成が検出され、そして適切なＲＡＣＨ構成パラメーターがＲＡＣＨ種別信号に基づいて使用される。
【図面の簡単な説明】
【０００８】
【図１】ＳＣ−ＦＤＭＡの送信機構造のブロック図である。
【図２】複数のノードＢおよびＷＴＲＵを有する無線通信ネットワークを示す図である。
【発明を実施するための形態】
【０００９】
特徴および要素が好適な実施形態において特定の組み合わせにて記述されるが、それぞれの特徴または要素は、単独にて（本実施形態の他の特徴および要素なしで）、または本実施形態の他の特徴および要素のあるなしにかかわらず様々な組み合わせにて使用可能である。
【００１０】
本明細書において、ＷＴＲＵ（Wireless Transmit Receive Unit：無線送受信ユニット）は、限定的ではなく、ＵＥ（User Equipment：ユーザー装置）、移動端末、固定型または移動体の加入者ユニット、ページャー、または無線環境において動作する能力のある他の任意の種別のデバイスをも含む。また、基地局（base station）は、限定的ではなく、ノードＢ（Ｎｏｄｅ−Ｂ：ＮＢ）、発展型ノードＢ（evolved Node-B：ｅＮＢ）、サイト制御装置、アクセス・ポイント（access point）、または無線環境における他の任意の種別のインターフェイス・デバイスをも含む。
【００１１】
ＬＴＥにおいては、ランダム・アクセスリソースを区分し、そして構成設定する能力があってしかるべきであろう。本明細書に記述されるのは、これらの能力の活動性および柔軟性を発展させるそのような能力を支援する方法である。一実施形態においては、ＲＡＣＨ構成が明示的に送出される。これらの構成は、構成に関連付けられた有効化（activation）および非有効化（deactivation）時刻を含み、すべてのＷＴＲＵ間のセル全体の動作を調整することができる。代替の実施形態においては、ＲＡＣＨ構成パラメーターのいくつか、または場合によっては全てが、負荷インジケータに関連付けられる。したがってＷＴＲＵは、ｅＮＢによってブロードキャストされる、負荷インジケータに基づいて選択される複数組の使用すべきＲＡＣＨ構成パラメーターを有するであろう。
【００１２】
図２を参照すると、ＬＴＥ無線通信ネットワーク（ＮＷ）１０が、ＷＴＲＵ２０、１つまたは複数のノードＢ３０、および１つまたは複数のセル４０を備えている。それぞれのセル４０は、送受信機１３を含む１つまたは複数のノードＢ（ＮＢまたはｅＮＢ）３０を備える。ＷＴＲＵ２０は、ＲＡＣＨ構成を動的に変化させるために本明細書で開示する方法を実施するために、送受信機２２および処理装置９を備える。
【００１３】
ＮＢ３０と通信するために使用するべき適切なＲＡＣＨ構成を決定するためにＷＴＲＵ処理装置９によってＲＡＣＨインジケータ信号が使用される方法が開示される。ＲＡＣＨインジケータ信号は、ＷＴＲＵ２０によって使用されるＲＡＣＨ構成が動的に変化することを可能にする。ＷＴＲＵ２０は、ＮＢ３０によって送信されるダウンリンクブロードキャスト信号を、送受信機２２を通してリッスン（listen）する。ブロードキャスト信号の中の情報は、ＲＡＣＨ構成信号およびＲＡＣＨインジケータ信号を含み、送受信機２２によって受け取られ抽出される。当業者には既知であるように、ＲＡＣＨ構成信号は、ＮＢ３０と通信するためにＷＴＲＵ２０によって使用されるＲＡＣＨ構成パラメーターを含む。ＲＡＣＨ構成パラメーターは、限定的ではなく、以下の１つまたは複数を含むことができる。  
ａ．時分割多元接続スロット
ｂ．１つまたは１組のサブキャリアなどの周波数分割多元接続のリソース
ｃ．パーシステンス係数（persistence factor）
ｄ．バックオフ（backoff）タイマー
ｅ．ＡＳＣまたは他のそのようなユーザーのクラス差別化識別子
【００１４】
ＲＡＣＨ構成信号およびＲＡＣＨインジケータ信号を抽出すると、送受信機２２は、ＲＡＣＨ構成を選択するためにＲＡＣＨインジケータ信号を処理装置９に転送する。処理装置９は、ＮＢ３０と通信するときＷＴＲＵ２０によって使用されるＲＡＣＨ構成を、少なくともそのＲＡＣＨインジケータ信号に基づき決定する。ＲＡＣＨインジケータ信号は、無線システムに依って、ＲＡＣＨ構成の中のＲＡＣＨ構成パラメーターの１つまたはすべてに関連付けることができる。例えば、ＲＡＣＨインジケータ信号は、処理装置９がＲＡＣＨ構成のあるパラメーターのみを選択するように促すことができる。
【００１５】
開示される方法によると、ＲＡＣＨインジケータ信号は、適切なＲＡＣＨ構成を決定するためにＷＴＲＵ２０によって使用されるダウンリンクチャネルの中の任意の種別の信号であってもよい。ＲＡＣＨインジケータ信号は一例として、有効化時刻、非有効化時刻、ＡＳＣ（Access Service Class）、または負荷インジケータのうちの１つまたは複数の種別のインジケータを含むことができる。
【００１６】
そのように、第１の実施形態においては、ＲＡＣＨインジケータ信号は有効化時刻フィールドを含む。有効化時刻フィールドは、処理装置９を通してＷＴＲＵ２０に対して、受け取ったＲＡＣＨ構成またはＲＡＣＨ構成の集合の使用を開始する時刻をＷＴＲＵ２０に示す。有効化時刻フィールドは、構成信号から分離された信号中に含まれているとして開示されているが、代替の実施形態においては、有効化時刻フィールドを、ＲＡＣＨ構成信号中に含むことができる。有効化時刻フィールドは、ＳＦＮ（System Frame Number：システム・フレーム番号）、または他のそのようなセル全体の参照時刻の単位であることができる。
【００１７】
さらに有効化時刻フィールドは、ＲＡＣＨ構成パラメーターの１つまたは複数の使用に関連させることができ、したがってＲＡＣＨ構成パラメーターの１つまたは複数をいつ使用開始するべきかを処理装置９に示すことができる。この実施形態によると、ＷＴＲＵ２０は、ＲＡＣＨ構成信号と、有効化時刻フィールドを含むＲＡＣＨインジケータ信号とをＮＢ３０から受け取る。有効化時刻フィールドがあるＲＡＣＨ構成パラメーターのみに関連付けられるなら、有効化時刻が開始すると、処理装置９がそれらのパラメーターを選択する。有効化時刻に関連付けられないそれらのパラメーターは、変更されないままにされるのが望ましく、その結果ＲＡＣＨ構成パラメーターのすべてを変更することなく、ＷＴＲＵ２０が自身のＲＡＣＨ構成を動的に調整することを可能にする。
【００１８】
代替の実施形態においては、ＷＴＲＵ２０によって受け取られたＲＡＣＨインジケータ信号中に、受け取られたＲＡＣＨ構成群またはＲＡＣＨ構成群の集合を使用することを停止する時刻を示すために、非有効化時刻フィールドを含むこともできる。非有効化時刻フィールドは、例えばＮＢの最優先課題が、先ずリソースを開放することであり、その後その状況が必要とする容量制限を評価した上で、ユーザーがネットワークに戻ることを可能にする、緊急事態の際において有用であろう。
【００１９】
ダウンリンクチャネルにおいて（例えば、ブロードキャスト・チャネルにおいて）、それが予め定められた非有効化時刻により非有効化されるか、または新しいＲＡＣＨ構成の新しい有効化時刻による有効化によって取って代わられるかの何れかまでに、ＲＡＣＨ種別インジケータがブロードキャストされることが望ましい。
【００２０】
ＷＴＲＵ２０が、署名、タイム・スロット、および周波数帯を含む（適用可能であるとして）ＲＡＣＨ構成情報を獲得し、そして有効化時刻になると、ＮＢ３０との通常の時間同期化が行われる。ＷＴＲＵ２０は、選択された周波数帯およびタイム・スロットによってバースト（burst）を送出し、そしてＮＢ３０からの応答に対して指定されたダウンリンクチャネルを監視する。ＮＢ３０からの応答を受け取ると、ＷＴＲＵ２０は自身のタイミングを調整する。非有効化時刻フィールドがＷＴＲＵ２０によって受け取られたなら、ＲＡＣＨ構成信号中のＲＡＣＨ構成情報は非有効化される。
【００２１】
有効化時刻および非有効化時刻の両方が所定のＲＡＣＨ構成の有効化時刻に先立って設定されることが望ましい。
【００２２】
代替の実施形態においては、ＲＡＣＨ構成情報が、ブロードキャスト・チャネルおよびそこに含まれるＳＩＢにおける方法ではなく、ＮＢ３０によってＷＴＲＵ２０へ送信される。ＷＴＲＵ２０は、ページング・チャネル上でＲＡＣＨ構成信号を受け取る。別の代替の実施形態においてはＲＡＣＨ構成信号が、共有かまたは個別かの何れかの制御チャネル上でＷＴＲＵ２０に送信される。これは、あるユーザーに対するＲＡＣＨ再構成をすばやく得るために（例えば、ユーザーが現在活発にＮＢ３０とデータを交換している場合に）、またはブロードキャスト・チャネルのオーバーヘッドに影響を与えることなく、特定のユーザーへのＲＡＣＨ構成をカスタマイズするための機構を得るために、望まれる場合がある。
【００２３】
ＷＴＲＵ２０によって使用されるＲＡＣＨ構成パラメーターは、ＡＳＣ（Access Service Class）またはユーザーの他のそのようなクラスに基づく差別化に依存する場合がある。したがって、ＡＳＣまたはＡＳＣ群が他のＡＳＣと異なった１組のＲＡＣＨ構成パラメーターを有する方法が開示される。結果としてＷＴＲＵ２０は、ＷＴＲＵ２０のＡＳＣに基づいてブロードキャストされたＲＡＣＨ構成パラメーターを使用する。
【００２４】
ＮＢ３０は、１つまたは複数のＷＴＲＵ２０によって監視されるダウンリンクチャネルにより、１つまたは複数のＡＳＣに関連付けられたＲＡＣＨ構成パラメーターを含むＲＡＣＨ構成信号をブロードキャストする。特定のＷＴＲＵ２０に割り当てられたＡＳＣに依っては、ＷＴＲＵ２０はそのＡＳＣに関連付けられたＲＡＣＨ構成信号からのＲＡＣＨ構成パラメーターを使用する。
【００２５】
代替の実施形態においては、ＲＡＣＨインジケータ信号は、ＡＳＣに関連付けられた有効化時刻フィールドおよび／または非有効化時刻フィールドをさらに含むことができる。あるいはまた、ＡＳＣまたはＡＳＣ群が互いから独立している有効化時刻／非有効化時刻を有することができる。
【００２６】
別の代替の実施形態においては、ＲＡＣＨ構成パラメーターが、それに関連付けられた有効化時刻フィールドおよび／または非有効化時刻フィールドを含むことができ、それによりＷＴＲＵ２０が、有効化時にそのＡＳＣに関連付けられたＲＡＣＨ構成パラメーターの使用を開始し、そして非有効化時にその適切なＲＡＣＨ構成パラメーターの使用を停止する。
【００２７】
さらに別の代替の実施形態においては、ＲＡＣＨインジケータ信号は、望ましくはブロードキャスト・チャネルを介して送られる負荷インジケータを含むことができ、これがＷＴＲＵ２０によって使用されるべきＲＡＣＨ構成パラメーターの部分集合（またはすべて）を決定するために使用される。負荷インジケータは名目上、ＮＢ３０での負荷の大きさ（例えば、トラフィック量、アクティブなユーザーの数、セル間干渉またはセル内干渉、リソース使用率、など）を含むスカラーのメトリックであることが望ましい。
【００２８】
この代替形態によるとＷＴＲＵ２０は、負荷インジケータを含むＲＡＣＨインジケータ信号に対してブロードキャスト・チャネルをリッスンする。ＷＴＲＵ２０は、ＲＡＣＨ上でランダム・アクセスを試みる前に、以前に受け取られた負荷インジケータを使用してＲＡＣＨパラメーターを決定する。従って、ＷＴＲＵ２０が適切なＲＡＣＨ構成パラメーターを選択することを可能にするために、負荷インジケータはＲＡＣＨ情報信号の前に送られることが望ましい。
【００２９】
また、非有効化時刻は負荷インジケータに関連付けられ、負荷インジケータに関連付けられたＲＡＣＨ構成パラメーターを使用するための非有効化時刻を示すために、ＲＡＣＨインジケータ信号中に含まれる場合がある。同様に、負荷インジケータに関連付けられた有効化時刻がブロードキャストされる場合がある。
【００３０】
負荷インジケータは、ＲＡＣＨ構成パラメーターの部分集合（またはすべて）に対応付けることができる。負荷インジケータからＲＡＣＨ構成パラメーターへの対応付け（mapping）は、無線ベアラーの確立の間に送出されることが望ましい。しかしながら、これは、無線ベアラーの確立を開始するために使用されるＲＡＣＨ構成にとって十分でないであろうことに注意するべきである。あるいはまた対応付けを、ＲＡＣＨ構成パラメーターと共に含まれるブロードキャスト・チャネル中のＳＩＢを通してブロードキャストし、あるいは制御信号方式を通してまたはページング・チャネルを通して伝達することができる。
【００３１】
さらに別の代替の実施形態においては、負荷インジケータの対応付けが事前に定義されており、そして直面する負荷に関連付けられたＲＡＣＨ構成情報をＮＢ３０がブロードキャストする方法が開示される。代替実施形態として、ＮＢ３０によって経験された負荷は、ＷＴＲＵ２０にブロードキャスト可能であり、ＷＴＲＵ２０は自身にとって既知である事前に定義された対応付けを使用してＲＡＣＨ構成を選択する。
【００３２】
負荷インジケータはまた代替の方法により、ＡＳＣの部分集合、またはユーザーの他のそのようなクラスに基づく差別化に適用することができる。そのためＷＴＲＵ２０によって使用されるＡＳＣが、ＷＴＲＵ２０によって受け取られた負荷インジケータに基づく方法が開示される。
【００３３】
ハンドオーバーの際に、ターゲット・セル中の負荷はサービング・セル中の負荷と異なる可能性がある。上記により、ハンドオーバーの際の負荷の差異を取り扱う方法が開示される。１つの方法には、ターゲット・セルがその負荷およびＲＡＣＨ構成情報をサービング・セルに転送することが含まれる。サービング・セルは、ターゲット・セルの負荷／構成に関してＷＴＲＵ２０に通知する。ハンドオーバーの際に、ＷＴＲＵ２０の処理装置９は、転送された情報を使用し、ターゲット・セルにアクセスするとき、それが何れのＲＡＣＨ構成を使用するべきであるかを決定する。
【００３４】
あるいはまた、ハンドオーバーの際にＷＴＲＵ２０が、ターゲット・セル中の制御チャネルをリッスンし、ＲＡＣＨ構成および負荷インジケータ情報を獲得し、そしてそれらに基づき何れのＲＡＣＨリソースを使用するべきかを決定する方法が開示される。
【００３５】
さらに別の代替の方法においては、ハンドオーバーの際にＷＴＲＵ２０は、ターゲット・セル中の事前に定義されたＲＡＣＨリソース（すなわち、ハンドオーバーのために使用されるべく事前に定義されたリソースまたは構成）にアクセスすることができる。
【００３６】
代替の実施形態においては、ＷＴＲＵ２０またはＮＢ３０が、複数の可能性のあるターゲット・セルの中から、それに向かって通信しようとする、１つのターゲット・セルを決定する際の要因として、負荷および構成情報を使用することができる。
【００３７】
さらに別の実施形態においては、使用されるべき適切なＲＡＣＨ構成の処理装置９による決定が、ＷＴＲＵ２０の状態に基づく方法が開示される。従って、ＷＴＲＵ２０によりその状態（例えば、それが待機状態か動作状態か、そして接続があるか否か）に依って、異なったＲＡＣＨ構成パラメーターが使用されることになり、その結果、その状態が１つの状態から別の状態に変化するにつれ、そのＲＡＣＨ構成を動的に調整することが可能になる。
【００３８】
実施形態
１．ＲＡＣＨ（Random Access Channel）構成を動的に更新するための方法であって、
無線チャネルにおいて、少なくとも１つのＲＡＣＨ構成パラメーターを含む、少なくとも１つのＲＡＣＨ構成を検出するステップと、
使用するべき前記ＲＡＣＨ構成を選択するためにＲＡＣＨインジケータ信号を受け取るステップと、
前記ＲＡＣＨインジケータ信号に基づき前記選択されたＲＡＣＨ構成を使用するステップと
を含むことを特徴とする方法。
【００３９】
２．前記ＲＡＣＨインジケータ信号が、前記決定されたＲＡＣＨ構成パラメーターの使用が開始するべき時刻を示すための有効化時刻フィールドを含むことを特徴とする実施形態１に記載の方法。
【００４０】
３．前記ＲＡＣＨインジケータ信号が、前記決定されたＲＡＣＨ構成パラメーターの使用が停止するべき時刻を示すための非有効化時刻フィールドを含むことを特徴とする実施形態１または２に記載の方法。
【００４１】
４．前記有効化時刻が、時分割多元接続スロット、１つまたは１組のサブキャリアなどの周波数分割多元接続リソース、パーシステンス係数（persistence factor）、バックオフ（backoff）タイマー、ＡＳＣ（Access Service Class）および他のそのようなユーザーのクラス差別化識別子の内の１つまたは複数を含むＲＡＣＨ構成パラメーターの内のいくつかまたはすべてに関係することを特徴とする実施形態１〜３の何れかに記載の方法。
【００４２】
５．前記ＲＡＣＨインジケータ信号が、ＡＳＣであることを特徴とする実施形態１〜４に記載の方法。
【００４３】
６．前記ＲＡＣＨ構成パラメーターが、１つまたは複数のＡＳＣに関連付けられることを特徴とする実施形態５に記載の方法。
【００４４】
７．前記ＲＡＣＨインジケータ信号が、前記ＡＳＣが何時使用されるべきかを示すための有効化時刻をさらに含むことを特徴とする実施形態５または６に記載の方法。
【００４５】
８．前記ＲＡＣＨインジケータ信号が、使用されるべき前記ＲＡＣＨ構成パラメーターを決定するために、負荷の大きさを含む負荷インジケータを含むことを特徴とする実施形態１〜７の何れかに記載の方法。
【００４６】
９．前記ＲＡＣＨインジケータ信号が、
前記負荷インジケータを使用するべき時刻を示すための有効化時刻と、
前記負荷インジケータを使用することを停止するべき時刻を示すための非有効化時刻と
をさらに含むことを特徴とする実施形態８に記載の方法。
【００４７】
１０．前記負荷インジケータが、前記ＲＡＣＨ構成パラメーターの内の１つまたは複数に対応付けられることを特徴とする実施形態８または９に記載の方法。
【００４８】
１１．ＲＡＣＨ（Random Access Channel）構成を動的に更新するためのＷＴＲＵであって、
無線チャネルにおいて、少なくとも１つのＲＡＣＨ構成パラメーターを含む、少なくとも１つのＲＡＣＨ構成を検出するための受信機と、
ＲＡＣＨインジケータ信号に基づき使用するべき適切なＲＡＣＨ構成パラメーターを決定するための処理装置と
を備えることを特徴とするＷＴＲＵ。
【００４９】
１２．前記ＲＡＣＨインジケータ信号が、前記決定されたＲＡＣＨ構成パラメーターの使用が開始するべき時刻を示すための有効化時刻フィールドを含むことを特徴とする実施形態１１に記載のＷＴＲＵ。
【００５０】
１３．前記ＲＡＣＨインジケータ信号が、前記決定されたＲＡＣＨ構成パラメーターの使用が停止するべき時刻を示すための非有効化時刻フィールドを含むことを特徴とする実施形態１１または１２の何れかに記載のＷＴＲＵ。
【００５１】
１４．前記有効化時刻が、時分割多元接続スロット、１つまたは１組のサブキャリアなどの周波数分割多元接続リソース、パーシステンス係数（persistence factor）、バックオフ（backoff）タイマー、ＡＳＣ（Access Service Class）および他のそのようなユーザーのクラス差別化識別子の内の１つまたは複数を含むＲＡＣＨ構成パラメーターの内のいくつかまたはすべてに関係することを特徴とする実施形態１１〜１３の何れかに記載のＷＴＲＵ。
【００５２】
１５．前記ＲＡＣＨインジケータ信号が、ＡＳＣであることを特徴とする実施形態１１〜１４の何れかに記載のＷＴＲＵ。
【００５３】
１６．前記ＲＡＣＨ構成パラメーターが、１つまたは複数のＡＳＣに関連付けられることを特徴とする実施形態１１〜１５の何れかに記載のＷＴＲＵ。
【００５４】
１７．前記ＲＡＣＨインジケータ信号が、前記ＡＳＣが何時使用されるべきかを示すための有効化時刻をさらに含むことを特徴とする実施形態１１〜１６の何れかに記載のＷＴＲＵ。
【００５５】
１８．前記ＲＡＣＨインジケータ信号が、使用されるべき前記ＲＡＣＨ構成パラメーターを決定するために、負荷の大きさを含む負荷インジケータを含むことを特徴とする実施形態１１〜１６の何れかに記載のＷＴＲＵ。
【００５６】
１９．前記ＲＡＣＨインジケータ信号が、
前記負荷インジケータを使用するべき時刻を示すための有効化時刻と、
前記負荷インジケータを使用することを停止するべき時刻を示すための非有効化時刻と
をさらに含むことを特徴とする実施形態１１〜１８の何れかに記載のＷＴＲＵ。
【００５７】
２０．前記負荷インジケータが、前記ＲＡＣＨ構成パラメーターの内の１つまたは複数に対応付けられることを特徴とする実施形態１９に記載のＷＴＲＵ。
【００５８】
２１．ＲＡＣＨ（Random Access Channel）構成が動的に更新されるノードＢ（Ｎｏｄｅ−Ｂ）であって、
少なくとも１つのＲＡＣＨ構成および１つのＲＡＣＨインジケータ信号を送信するための送信機を備え、
それぞれの前記ＲＡＣＨ構成が、少なくとも１つのＲＡＣＨ構成パラメーターを含み、
それぞれの前記ＲＡＣＨインジケータ信号が、ＷＴＲＵによって使用されるべき適切なＲＡＣＨ構成を示す
ことを特徴とするノードＢ。
【００５９】
２２．前記ＲＡＣＨインジケータ信号が、前記決定されたＲＡＣＨ構成パラメーターの使用が開始するべき時刻を示すための有効化時刻フィールドを含むことを特徴とする実施形態２１に記載のノードＢ。
【００６０】
２３．前記ＲＡＣＨインジケータ信号が、ＡＳＣ（Access Service Class）であることを特徴とする実施形態２１〜２２の何れかに記載のノードＢ。
【００６１】
２４．前記ＲＡＣＨインジケータ信号が、使用されるべき前記ＲＡＣＨ構成パラメーターを決定するために、負荷の大きさを含む負荷インジケータを含むことを特徴とする実施形態２１〜２３の何れかに記載のノードＢ。
【００６２】
以上の方法は例として、ＷＣＤＭＡ、ＴＤＤ、ＦＤＤ、もしくはＬＴＥまたはＨＳＰＡ準拠のシステムにおいて、ソフトウェアとして、ＷＴＲＵまたは基地局においてデータ・リンク層またはネットワーク層にて実施することができる。
【００６３】
本実施形態において特定の組み合わせにて特徴および要素が記述されているが、それぞれの特徴または要素は、本実施形態の他の特徴および要素なしで単独にて、または他の特徴および要素のあるなしにかかわらず様々な組み合わせにて使用可能である。提供された方法またはフロー図は、汎用コンピューターまたは処理装置による実行のために、コンピューター読み取り可能な記憶媒体にて実体的に具現化される、コンピューター・プログラム、ソフトウェア、またはファームウェアにて実施することができる。コンピューター読み取り可能な記憶媒体の例としては、ＲＯＭ（Read Only Memory）、ＲＡＭ（Random Access Memory）、レジスタ、キャッシュ・メモリ、半導体メモリ・デバイス、内蔵ハード・ディスクおよび着脱可能ディスクなどの磁気媒体、磁気−光学媒体、ならびにＣＤ−ＲＯＭディスクおよびＤＶＤ（Digital Versatile Disk）などの光学媒体が含まれる。
【００６４】
適切な処理装置の例としては、汎用プロセッサ、専用プロセッサ、従来の処理装置、ＤＳＰ（Digital Signal Processor：デジタル信号処理装置）、複数のマイクロ処理装置、ＤＳＰコアに関連付けられた１つまたは複数のマイクロ処理装置、制御装置、マイクロ制御装置、ＡＳＩＣ（Application Specific Integrated Circuit）、ＦＰＧＡ（Field Programmable Gate Array）回路、他の何れかの種別のＩＣ（Integrated Circuit：集積回路）、および／または状態マシンが含まれる。
【００６５】
ＷＴＲＵ、ＵＥ、端末、基地局、ＲＮＣ（Radio Network Controller：無線ネットワーク制御装置）、または任意のホスト・コンピューターにおいて使用するための無線周波数送受信機を実施するために、ソフトウェアに関連付けられた処理装置を使用することができる。ＷＴＲＵは、ハードウェアおよび／またはソフトウェアにて実施され、カメラ、ビデオカメラ・モジュール、テレビ電話、スピーカーフォン、振動デバイス、スピーカー、マイクロホン、テレビ送受信機、ハンズフリー受話器、キーボード、ブルートゥース（Ｂｌｕｅｔｏｏｔｈ（登録商標））モジュール、ＦＭ（Frequency Modulated）無線ユニット、ＬＣＤ（Liquid Crystal Display：液晶）表示ユニット、ＯＬＥＤ（Organic Light−Emitting Diode：有機発光ダイオード）表示ユニット、デジタル音楽プレーヤー、メディア・プレーヤー、テレビゲーム・プレーヤー・モジュール、インターネット・ブラウザー、および／または任意のＷＬＡＮ（Wireless Local Area Network：無線ＬＡＮ）モジュールなどのモジュールと連動して使用することができる。
【図１】
2010504031.tif 000003
【図２】
2010504031.tif 000004
【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
ＲＡＣＨ（Random Access Channel）構成を動的に更新するための方法であって、
無線チャネルにおいて、少なくとも１つのＲＡＣＨ構成パラメーターを含む、ＲＡＣＨ構成を検出するステップと、
ＲＡＣＨインジケータ信号を受信するステップと、
前記ＲＡＣＨインジケータ信号に基づいて１つまたは複数のＲＡＣＨ構成パラメーターを調整するステップと
を含むことを特徴とする方法。
【請求項２】
前記ＲＡＣＨインジケータ信号が、決定されたＲＡＣＨ構成パラメーターの使用が開始される時刻を示すための有効化時刻フィールドをさらに含むことを特徴とする請求項１に記載の方法。
【請求項３】
前記ＲＡＣＨインジケータ信号が、決定されたＲＡＣＨ構成パラメーターの使用が停止される時刻を示すための非有効化時刻フィールドをさらに含むことを特徴とする請求項２に記載の方法。
【請求項４】
有効化時刻が、時分割多元接続スロット、１つまたは１組のサブキャリアなどの周波数分割多元接続リソース、パーシステンス係数（persistence factor）、バックオフタイマー、ＡＳＣ（Access Service Class）および他のユーザークラス差別化識別子の内の１つまたは複数を含むＲＡＣＨ構成パラメーターの内のいくつかまたはすべてに関連することを特徴とする請求項２に記載の方法。
【請求項５】
前記ＲＡＣＨインジケータ信号が、ＡＳＣ（Access Service Class）であることを特徴とする請求項１に記載の方法。
【請求項６】
前記ＲＡＣＨ構成パラメーターが、１つまたは複数のＡＳＣに関連付けられることを特徴とする請求項５に記載の方法。
【請求項７】
前記ＲＡＣＨインジケータ信号が、前記ＡＳＣが何時使用されるかを示すための有効化時刻をさらに含むことを特徴とする請求項６に記載の方法。
【請求項８】
前記ＲＡＣＨインジケータ信号が、使用される前記ＲＡＣＨ構成パラメーターを決定するために、負荷の大きさを含む負荷インジケータをさらに含むことを特徴とする請求項１に記載の方法。
【請求項９】
前記ＲＡＣＨインジケータ信号が、
前記負荷インジケータを使用する時刻を示すための有効化時刻と、
前記負荷インジケータを使用することを停止する時刻を示すための非有効化時刻と
をさらに含むことを特徴とする請求項８に記載の方法。
【請求項１０】
前記負荷インジケータが、前記ＲＡＣＨ構成パラメーターの内の１つまたは複数に対応付けられることを特徴とする請求項８に記載の方法。
【請求項１１】
ＲＡＣＨ（Random Access Channel）構成を動的に更新するための無線送受信ユニットであって、
無線チャネルにおいて、少なくとも１つのＲＡＣＨ構成パラメーターを含む、少なくとも１つのＲＡＣＨ構成を検出するための受信機と、
受信されたＲＡＣＨインジケータ信号に基づいて１つまたは複数のＲＡＣＨ構成パラメーターを調整するための処理装置と
を備えたことを特徴とする無線送受信ユニット。
【請求項１２】
前記ＲＡＣＨインジケータ信号が、決定されたＲＡＣＨ構成パラメーターの使用が開始される時刻を示すための有効化時刻フィールドをさらに含むことを特徴とする請求項１１に記載の無線送受信ユニット。
【請求項１３】
前記ＲＡＣＨインジケータ信号が、決定されたＲＡＣＨ構成パラメーターの使用が停止される時刻を示すための非有効化時刻フィールドをさらに含むことを特徴とする請求項１２に記載の無線送受信ユニット。
【請求項１４】
有効化時刻が、時分割多元接続スロット、１つまたは１組のサブキャリアなどの周波数分割多元接続リソース、パーシステンス係数（persistence factor）、バックオフタイマー、ＡＳＣ（Access Service Class）および他のユーザークラス差別化識別子の内の１つまたは複数を含むＲＡＣＨ構成パラメーターの内のいくつかまたはすべてに関連することを特徴とする請求項１２に記載の無線送受信ユニット。
【請求項１５】
前記ＲＡＣＨインジケータ信号が、ＡＳＣ（Access Service Class）であることを特徴とする請求項１１に記載の無線送受信ユニット。
【請求項１６】
前記ＲＡＣＨ構成パラメーターが、１つまたは複数のＡＳＣに関連付けられることを特徴とする請求項１５に記載のＷＴＲＵ。
【請求項１７】
前記ＲＡＣＨインジケータ信号が、前記ＡＳＣが何時使用されるかを示すための有効化時刻をさらに含むことを特徴とする請求項１６に記載の無線送受信ユニット。
【請求項１８】
前記ＲＡＣＨインジケータ信号が、使用される前記ＲＡＣＨ構成パラメーターを決定するために、負荷の大きさを含む負荷インジケータをさらに含むことを特徴とする請求項１１に記載の無線送受信ユニット。
【請求項１９】
前記ＲＡＣＨインジケータ信号が、
前記負荷インジケータを使用する時刻を示すための有効化時刻と、
前記負荷インジケータを使用することを停止する時刻を示すための非有効化時刻と
をさらに含むことを特徴とする請求項１６に記載の無線送受信ユニット。
【請求項２０】
前記負荷インジケータが、前記ＲＡＣＨ構成パラメーターの内の１つまたは複数に対応付けられることを特徴とする請求項１９に記載の無線送受信ユニット。
【請求項２１】
ＲＡＣＨ（Random Access Channel）構成が動的に更新されるノードＢ（Ｎｏｄｅ−Ｂ）であって、
少なくとも１つのＲＡＣＨ構成パラメーターを含む少なくとも１つのＲＡＣＨ構成と、１つのＲＡＣＨインジケータ信号とを送信するための送信機を備え、
それぞれのＲＡＣＨ構成が、少なくとも１つのＲＡＣＨ構成パラメーターを含み、
それぞれのＲＡＣＨインジケータ信号が、無線送受信ユニットによって使用される１つまたは複数のＲＡＣＨ構成パラメーターを調整する
ことを特徴とするノードＢ。
【請求項２２】
前記ＲＡＣＨインジケータ信号が、決定されたＲＡＣＨ構成パラメーターの使用が開始される時刻を示すための有効化時刻フィールドを含むことを特徴とする請求項２１に記載のノードＢ。
【請求項２３】
前記ＲＡＣＨインジケータ信号が、ＡＳＣ（Access Service Class）であることを特徴とする請求項２１に記載のノードＢ。
【請求項２４】
前記ＲＡＣＨインジケータ信号が、使用される前記ＲＡＣＨ構成パラメーターを決定するために、負荷の大きさを含む負荷インジケータを含むことを特徴とする請求項２１に記載のノードＢ。
【国際調査報告】
2010504031.tif 000005
2010504031.tif 000006
2010504031.tif 000007